(57)【要約】【課題】パネル１の持つ容量や回路の抵抗値の大きさやパネルの温度などの要因によらず、正確に初期化電圧の電圧値を制御することができ、初期化電圧の緩やかに上昇するランプ波形の傾きの変動による初期化電圧の電圧値のバラつきを抑えること。【解決手段】走査電極に表示するためのパルスを印加する走査電極駆動回路１３は、全セル初期化期間の前半部において上昇するランプ波形電圧を印加する時に、走査電極に第１の電圧が印加されてから、第１の電圧よりも大きな第２の電圧が印加されるまでの時間を計測し、この計測時間に応じて走査電極に印加するランプ波形の上昇に費やす時間を調整し、常に安定した電圧を印加することを特徴とする。【選択図】図３
2010175769.tif 000002
【特許請求の範囲】
【請求項１】
走査電極および維持電極とデータ電極との交差部に放電セルを形成したプラズマディスプレイパネルと、
入力する画像信号を表示のために、１フィールド期間を複数のサブフィールドで構成し、少なくとも１つのサブフィールドは前記放電セルの壁電荷をリセットする為に画像表示を行う全ての放電セルに対して初期化放電を発生させる全セル初期化期間と、書込み期間と、維持期間とを備えするように変換する画像信号処理回路と、
前記走査電極に表示するためのパルスを印加する走査電極駆動回路とを備え、
前記走査電極駆動回路は、前記全セル初期化期間において、前記走査電極に第１の電圧が印加されてから、第１の電圧よりも大きな第２の電圧が印加されるまでの時間を計測し、前記計測した時間に応じて、前記走査電極に印加するランプ波形の上昇に費やす時間を調整することを特徴とするプラズマディスプレイ装置。
【請求項２】
パネル温度を検出する温度検出器をさらに備え、走査電極に第１の電圧が印加されてから、第１の電圧よりも大きな第２の電圧が印加されるまでの時間と、前記温度検出器による検出値とに応じて、前記走査電極に印加するランプ波形の上昇に費やす時間を調整することを特徴とする請求項１に記載のプラズマディスプレイ装置。
【請求項３】
表示すべき画像の平均輝度レベルを検出する平均輝度レベル検出器をさらに備え、走査電極に第１の電圧が印加されてから第１の電圧よりも大きな第２の電圧が印加されるまでの時間と、前記平均輝度レベル検出器による検出値とに応じて、前記走査電極に印加するランプ波形の上昇に費やす時間を調整することを特徴とする請求項１に記載のプラズマディスプレイ装置。
【請求項４】
プラズマディスプレイパネルのパネルの累積点灯時間を計測する累計点灯時間計測器をさらに備え、走査電極に第１の電圧が印加されてから第１の電圧よりも大きな第２の電圧が印加されるまでの時間と、前記累積点灯時間計測器による計測値とに応じて、前記走査電極に印加するランプ波形の上昇に費やす時間を調整することを特徴とする請求項１に記載のプラズマディスプレイ装置。
【請求項５】
走査電極および維持電極とデータ電極との交差部に放電セルを形成したプラズマディスプレイパネルの駆動方法であって、１フィールド期間を、前記放電セルの壁電荷をリセットする為に画像表示を行う全ての放電セルに対して初期化放電を発生させる全セル初期化期間と、書込み期間と、維持期間とを有するサブフィールドを含む複数のサブフィールドで表示するために、前記全セル初期化期間には緩やかに上昇するランプ波形を前記走査電極に印加するとともに、第１の電圧が印加されてから、前記第１の電圧よりも大きな第２の電圧が印加されるまでの時間を計測し、前記計測した時間に応じて、前記走査電極に印加する前記ランプ波形の上昇に費やす時間を調整することを特徴とするプラズマディスプレイパネルの駆動方法。
【発明の詳細な説明】
【技術分野】
【０００１】
本発明は、壁掛けテレビや大型モニターに用いられるプラズマディスプレイパネルの駆
動方法およびプラズマディスプレイ装置に関する。
【背景技術】
【０００２】
プラズマディスプレイパネル（ 以下「パネル」と略記する）として代表的な交流面放
電型パネルは、対向配置された前面板と背面板との間に多数の放電セルが形成されている。
【０００３】
前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００４】
そして、表示電極対とデータ電極とが立体交差するように前面板と背面板とが対向配置されて密封され、内部の放電空間には、例えば分圧比で１０％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色Ｒ、緑色Ｇおよび青色Ｂの各色の蛍光体を励起発光させてカラー表示を行っている。
【０００５】
パネルを駆動する方法としてはサブフィールド法、すなわち、１フィールド期間を複数のサブフィールドに分割した上で、発光させるサブフィールドの組み合わせによって階調表示を行う方法が一般的である。
【０００６】
各サブフィールドは、初期化期間、書込み期間および維持期間を有し、初期化期間では初期化放電を発生し、続く書込み動作に必要な壁電荷を各電極上に形成する。初期化動作には、全ての放電セルで初期化放電を発生させる初期化動作（ 以下、「全セル初期化動作」と略記する）と、維持放電を行った放電セルで初期化放電を発生させる初期化動作（ 以下、「選択初期化動作」と略記する）とがある。
【０００７】
書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００８】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた新規な駆動方法が開示されている。
【０００９】
具体的には、例えば複数のサブフィールドのうち、１つのサブフィールドの初期化期間において全ての放電セルを放電させる全セル初期化動作を行い、他のサブフィールドの初期化期間においては維持放電を行った放電セルのみ初期化する選択初期化動作を行う。その結果、表示に関係のない発光は全セル初期化動作の放電にともなう発光のみとなりコントラストの高い画像表示が可能となる（例えば、特許文献１参照）。
【００１０】
このように駆動することによって、画像の表示に関係のない発光に依存して変化する黒表示領域の輝度（ 以下「黒輝度」と略記する）は全セル初期化動作における微弱発光だけとなり、コントラストの高い画像表示が可能となる。
【００１１】
ところで、全セル初期化動作により形成される壁電荷やプライミングは放電開始電圧に大きく左右され、放電特性はパネルの温度等に依存して変化するため、黒輝度の上昇を抑えコントラストを保ちながらパネル特性を考慮した安定した書込みを行うためには全セル初期化動作において常にパネルの放電特性に応じた適切な初期化電圧の制御を行う事が望ましい。上述した制御を行うには、全セル初期化期間において、走査電極に印加する緩やかに上昇するランプ波形を印加し、上昇に費やす時間で制御することで可能となる。
【００１２】
しかしながら、この緩やかに上昇するランプ波形の傾きはパネルの持つ容量や回路の抵抗値の大きさやパネルの温度などの要因によりバラつきを持ち、その為に、上昇に費やす時間は一定であっても、初期化電圧の大きさは一定とはならない。初期化電圧がバラつきを持つ場合、たとえば、初期化電圧が適切な電圧値より大きな値となる場合、より強度の強い初期化放電が発生してしまい黒輝度の上昇によりコントラストの低下を招くことになる。また、初期化電圧が適切な電圧値より小さな値となる場合、書込み不良などの問題が発生してしまい、いずれの場合にも表示品質の低下を招くという課題がある。
【特許文献１】特開２０００−２４２２２４号公報
【発明の開示】
【発明が解決しようとする課題】
【００１３】
そこで、本発明はこれらの課題を解決するために行われたもので、初期化電圧の緩やかに上昇するランプ波形の傾きの変動による初期化電圧の電圧値のバラつきを抑え、安定した書込みを実現しながら、黒輝度の上昇によるコントラストの低下も防ぎ、表示品質を向上させることが可能なパネルの駆動方法およびプラズマディスプレイ装置を提供することを目的とする。
【課題を解決するための手段】
【００１４】
本発明のプラズマディスプレイ装置は、走査電極および維持電極とデータ電極との交差部に放電セルを形成したプラズマディスプレイパネルと、入力する画像信号を表示のために、１フィールド期間を複数のサブフィールドで構成し、少なくとも１つのサブフィールドは前記放電セルの壁電荷をリセットする為に画像表示を行う全ての放電セルに対して初期化放電を発生させる全セル初期化期間と、書込み期間と、維持期間とを備えするように変換する画像信号処理回路と、前記走査電極に表示するためのパルスを印加する走査電極駆動回路とを備え、前記走査電極駆動回路は、前記全セル初期化期間において、前記走査電極に第１の電圧が印加されてから、第１の電圧よりも大きな第２の電圧が印加されるまでの時間を計測し、前記計測した時間に応じて、前記走査電極に印加するランプ波形の上昇に費やす時間を調整することを特徴とするものである。
【００１５】
また本発明のプラズマディスプレイ装置の駆動方法は、走査電極および維持電極とデータ電極との交差部に放電セルを形成したプラズマディスプレイパネルの表示装置であって、１フィールド期間は画像表示を行う全ての放電セルに対して初期化放電を発生させる全セル初期化期間と、書込み期間と、維持期間と、直前のサブフィールドで維持放電を発生した放電セルで初期化放電を発生させる選択初期化期間とを備え、全セル初期化期間では走査電極に緩やかに上昇するランプ波形を印加し、全セル初期化期間において、走査電極に第１の電圧が印加されてから、第１の電圧よりも大きな第２の電圧が印加されるまでの時間を計測し、この計測した時間に応じて走査電極に印加するランプ波形の上昇に費やす時間を調整することを特徴とする。
【発明の効果】
【００１６】
本発明によれば、パネルの持つ容量や回路の抵抗値の大きさやパネルの温度などの要因によらず、正確に初期化電圧の電圧値を制御することができ、初期化電圧の緩やかに上昇するランプ波形の傾きの変動による初期化電圧の電圧値のバラつきを抑える事ができ、安定した書込みを実現しながら黒輝度の上昇によるコントラストの低下も防ぎ、表示品質をより向上させることが可能なパネルの駆動方法を提供することができる。
【発明を実施するための最良の形態】
【００１７】
以下、本発明の実施の形態におけるプラズマディスプレイ装置について、図面を用いて説明する。
【００１８】
（実施の形態１）
図１は本発明の実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。
【００１９】
背面基板３上には絶縁体層８で覆われた複数のデータ電極９が設けられ、データ電極９の間の絶縁体層８上にデータ電極９と平行して隔壁１０が設けられている。絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、例えばネオンとキセノンの混合ガスが封入されている。なお、パネルの構造は上述したものに限られるわけではなく、例えば井桁状の隔壁を備えたものであってもよい。
【００２０】
図２は、本発明の（実施の形態１）におけるパネル１の電極配列図である。パネル１には、行方向に長いｎ本の走査電極ＳＣ１〜ＳＣｎ（ 図１の走査電極４）およびｎ本の維持電極ＳＵ１〜ＳＵｎ（図１の維持電極５）が配列され、列方向に長いｍ本のデータ電極Ｄ１〜Ｄｍ（図１のデータ電極９）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２１】
図３は、本発明の（実施の形態１）におけるパネルを駆動するための駆動回路の回路ブロック図である。プラズマディスプレイ装置は、パネル１、データ電極駆動回路１２、走査電極駆動回路１３、維持電極駆動回路１４、制御信号発生回路１５、画像信号処理回路１６、および電源回路（図示せず）を備えている。画像信号処理回路１６は画像信号ｓｉｇをパネル１の画素数に応じた画像データに変換し、各画素の画像データを複数のサブフィールドに対応する複数のビットに分割しデータ電極駆動回路１２に出力する。データ電極駆動回路１２はサブフィールド毎の画像データを各データ電極Ｄ１〜Ｄｍに対応する信号に変換し各データ電極Ｄ１〜Ｄｍを駆動する。
【００２２】
制御信号発生回路１５は水平同期信号Ｈおよび垂直同期信号Ｖをもとにして制御信号を発生し、各々の駆動回路ブロックへ供給する。走査電極駆動回路１３は制御信号にもとづいて走査電極ＳＣ１〜ＳＣｎに駆動波形を供給し、維持電極駆動回路１４は制御信号にもとづいて維持電極ＳＵ１〜ＳＵｎに駆動波形を供給する。
【００２３】
また本発明では、この制御信号発生回路１５は走査電極駆動回路１３内にあるランプ傾斜計測器２０からのフィードバックを受ける。
【００２４】
次に、パネル１を駆動するための駆動電圧波形とその動作について説明する。図４は本発明の実施の形態におけるパネルの各電極に印加する駆動電圧波形を示す図である。映像信号の１フィールド期間は複数のサブフィールドの期間に分けられる。１つのサブフィールドには初期化動作を行う初期化期間と、初期化動作によって蓄えられた壁電荷によって任意のセルに書込み放電を行う書込み期間と、書込み放電が行われたセルにおいて維持放電を起こす維持期間とを備えている。
【００２５】
初期化期間では初期化放電を発生し、続く書込み放電に必要な壁電荷を各電極上に形成する。この初期化期間には２つの駆動動作がある。ひとつは全ての放電セルで初期化放電を発生させる全セル初期化動作で図４の第１サブフィールド期間の初期化期間であり、もうひとつはその前のサブフィールドの維持期間で維持放電を行った放電セルに対して初期化放電を発生させる選択初期化動作で、この選択初期化動作は図４の第２サブフィールド期間の初期化期間の駆動波形でその一例が示されている。
【００２６】
書込み期間では、発光させるべき放電セルで選択的に書込み放電を発生し壁電荷を形成する。そして維持期間では、各サブフィールドの輝度重みに比例した数の維持パルスを表示電極対に交互に印加して、書込み期間において書込み放電を発生した放電セルで維持放電を発生させて発光させる。このときの比例した数（比例定数）を輝度倍率と呼ぶ。
【００２７】
以下に全セル初期化サブフィールドの駆動電圧波形とその動作について説明する。
【００２８】
初期化期間前半部では、データ電極Ｄ１〜ＤｍをＶｄ 、維持電極ＳＵ１〜ＳＵｎにそれぞれ０（Ｖ）を印加し、走査電極ＳＣ１〜ＳＣｎに対して放電開始電圧以下となる電圧Ｖｉ１から放電開始電圧を超える電圧Ｖｉ２に向かって緩やかに上昇するランプ波形電圧を印加する。
【００２９】
このランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００３０】
また、この緩やかに上昇するランプ波形電圧の印加による放電では、続く初期化期間後半部において壁電圧の最適化を図ることを見越して、放電開始電圧に対し適切な量の壁電圧を蓄えておく。この時に蓄えられる壁電圧は初期化電圧Ｖｉ２の電圧値によって決まる。
【００３１】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降するランプ波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。この放電によって、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。以上により、全ての放電セルに対して初期化放電を行う全セル初期化動作が終了する。
【００３２】
続く書込み期間では、維持電極ＳＵ１〜ＳＵｎに電圧Ｖｅ'を、走査電極ＳＣ１〜ＳＣｎに電圧Ｖｃを印加する。
【００３３】
次に、１行目の走査電極ＳＣ１に負の走査パルス電圧Ｖａを印加するとともに、データ
電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３４】
このようにして、１行目に発光させるべき放電セルで書込み放電を起こして各電極上に壁電圧を蓄積する書込み動作が行われる。
【００３５】
一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００３６】
続く維持期間では、まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電
開始電圧を超える。
【００３７】
そして、走査電極ＳＣｉと維持電極ＳＵｉとの間に維持放電が起こり、このとき発生した紫外線により蛍光体層１１が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は
発生せず、初期化期間の終了時における壁電圧が保たれる。
【００３８】
続く維持期間では、走査電極ＳＣ１〜ＳＣｎを０Ｖに戻し、維持電極ＳＵ１〜ＳＵｎに２番目の維持パルス電圧Ｖｓを印加する。すると、維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルでは維持放電が継続して行われる。こうして維持期間における維持動作が終了する。
【００３９】
維持期間終了後は消去期間が設けられ、維持電極ＳＵ１〜ＳＵｎ及びデータ電極Ｄ１〜Ｄｍを接地電位に保持した状態で、走査電極ＳＣ１〜ＳＣｎをＶｅｒａｓｅまで緩やかに上昇するランプ波形を印加する。これにより、維持放電が起こった放電セルにおいて、走査電極ＳＣｉと維持電極ＳＵｉとの間の電圧が放電開始電圧を超え、維持電極ＳＵｉと走査電極ＳＣｉとの間で微弱な消去放電が発生する。その結果、走査電極ＳＣｉに負の壁電荷が蓄積され、維持電極ＳＵｉに正の壁電荷が蓄積される。このとき、データ電極Ｄｋ上には正の壁電荷が蓄積される。その後、走査電極ＳＣ１〜ＳＣｎを接地電位に戻し、消去期間が終了する。
【００４０】
第２ＳＦ以降の初期化期間では、維持電極ＳＵ１〜ＳＵｎを電位Ｖｅ１に保持し、データ電極Ｄ１〜Ｄｍを接地電位に保持し、走査電極ＳＣ１〜ＳＣｎに接地電位から負の電位に向かって緩やかに下降するランプ波形を印加する。すると、前のＳＦの維持期間で維持放電が起こった放電セルでは微弱な初期化放電が発生する。それにより、前のＳＦで維持放電が起こった放電セルにおいて、走査電極ＳＣｉ上の壁電圧及び維持電極ＳＵｉの壁電圧が弱められ、データ電極Ｄｋ上の壁電圧も書込み動作に適した値に調整される。
【００４１】
前のＳＦで維持放電が起こらなかった放電セルにおいては、放電が発生することはなく、前のＳＦの初期化期間の終了時における壁電荷の状態がそのまま保たれる。このように、第２ＳＦ以降の初期化期間では、直前のＳＦで維持放電が起こった放電セルで選択的に初期化放電を発生させる選択初期化動作を行う。
【００４２】
ここで本発明の要点である初期化動作について詳細に述べる。
【００４３】
図５はプラズマディスプレイパネルの駆動に要する走査電極駆動回路の一部の構成を示したものである。走査電極駆動回路はパネル(表示せず）に映像信号を表示するために複数の走査電極に電圧を印加するためのパルスを供給するもので、維持電極駆動回路は映像信号を表示するために複数の維持電極に電圧を印加するためのパルスを供給するものである。
【００４４】
走査電極駆動回路には、パネルの電極間容量からの電荷を回収する回収回路３００と、複数の電源Ｖｓｕｓ、電源Ｖｅｒｓ、電源Ｖｓｃｎ、電源Ｖａｄと、スキャン回路ＤＲ、スイッチング手段のスイッチＱ３〜Ｑ９、コンデンサ２００、ダイオードＤ１０、ダイオードＤ１１および抵抗Ｒ１を備える。スキャン回路ＤＲは複数の走査ＩＣ１００を含む。また回路Ａと回路Ｂも走査電極駆動回路に備えられる。各走査ＩＣはノードＮ３とノードＮ２との間に接続されるとともに各走査電極ＳＣ１〜ＳＣｎに接続され、各走査ＩＣ１００は対応する走査電極ＳＣ１〜ＳＣｎをノードＮ３またはノードＮ２に選択的に接続する。
【００４５】
コンデンサ２００はノードＮ１とノードＮ３との間に接続され、電圧Ｖｓｃｎの電位Ｖ１０を保持するフローティング電源として働く。ノードＮ２とノードＮ３との間には保護抵抗Ｒ１が接続される。このような構成によりノードＮ３の電位は、ノードＮ１の電位に電圧Ｖｓｃｎを加算した値になる。スイッチＱ４はサブフィールド期間の書込み期間において、ノードＮ１と回路Ａや電源Ｖｅｒｓ、電源Ｖｓｕｓを電気的に分離するための分離スイッチとしての働きを行う。
【００４６】
全セル初期化サブフィールドの初期化期間の緩やかに上昇するランプ波形は図中の回路Ａによって構成されるが、この回路Ａを構成する素子は温度特性を含む個体差があり、緩やかに上昇するランプ波形の傾きは一定とはならない。この課題に対する本発明の特徴を図６及び図７を用いて説明する。
【００４７】
図６では、ある設計値で定められた傾きを有するランプ波形を、時間Ｔ０の期間印加している。この経過時間Ｔ０は制御信号発生回路より与えられている。しかし、実際には前述の理由により緩やかに上昇するランプ波形の傾きの大きさは一定とはならずバラつきを持つ為、初期化電圧Ｖｉ２の大きさは時間Ｔ０が一定であっても、実際の駆動時の傾きが設計値よりも大きい場合は、初期化電圧がＶｉ２ａとなり、黒輝度の上昇を招く。逆に、傾きが小さい場合は、初期化電圧がＶｉ２ｂとなり、書込み不足となり、表示品質の低下を招いてしまう。そこで本発明では、図５の回路図中に電位検出回路４１０と電圧の比較回路４００の回路Ｂにより図７で示す手法で、初期化電圧Ｖｉ２のバラつきを解消する。
【００４８】
初期化期間前半部において、回路ＡのスイッチＱ３がオン状態となり、電源Ｖｓｅｔ＋（ＶｓｕｓーＶｓｃｎ）の電圧Ｖ１１に向かってランプ波形が走査電極に印加される。電位検出回路４１０はこの電位を検出し、電位比較回路４００に予め設定されている電位の値とその大きさを比較する。緩やかに上昇するランプ波形の印加電圧が、ある特定の電圧Ｖｒ１、およびこの電圧Ｖｒ１よりも大きな電圧Ｖｒ２に到達した事を検出すると、制御信号発生回路１５へフィードバックする。
【００４９】
制御信号発生回路１５は、ランプ波形に印加される電圧が電圧Ｖｒ１から電圧Ｖｒ２に到達するまでの時間に応じて、電圧Ｖｒ２からさらに電圧Ｖｉ２に達するまでの時間Ｔ１を推定し、続けて期間Ｔ１の間は、電源Ｖｓｅｔ＋（ＶｓｕｓーＶｓｃｎ）からランプ波形を印加する。このように電圧Ｖｒ１から電圧Ｖｒ２まで電位が上昇する時間から温度の上昇傾斜を求め、この傾斜値により電圧Ｖｉ２までに到達する時間を決定し、その時間経過後にスイッチＱ６をオフ状態とすることで、パネルの持つ容量や回路の抵抗値の大きさやパネルの温度などの要因によらず初期化電圧Ｖｉ２の値を一定の値とすることができ、表示品質の低下を防ぐことができる。
【００５０】
なお、図５に示した電位検出回路４１０と比較回路４００は図３のランプ傾斜計測器２０を構成し、これはダイオードや抵抗などの一般的な素子によって構成され、電位検出・比較が可能であればその回路構成はどのようなものでも良く、本実施の形態に限られるものではない。
【００５１】
（実施の形態２）
次に、パネル温度によって放電特性が変化する事を考慮して、プラズマディスプレイ装置のパネル温度変化によらず初期化動作を最適な条件で行う事ができる実施の形態について説明する。
【００５２】
本実施の形態におけるパネルの構造、駆動電圧波形の概要等は（実施の形態１）と同様である。本実施の形態が（実施の形態１）と異なる点はプラズマディスプレイ装置にパネル温度を計測する温度検出器を備え、(実施の形態１)における電位検出回路４１０及び電位比較回路４００による制御信号発生回路１５へのフィードバックに加え、温度検出器１７からのフィードバックを受けて、全セル初期化電圧を制御している点である。
【００５３】
図８は、本発明の（実施の形態２）におけるプラズマディスプレイ装置の回路ブロック図である。（実施の形態１）で示した図３へ、温度制御の為の温度検出器１７が追加されている。温度検出器１７は周囲の温度を検出するために用いられる熱電対等の一般に知られた素子からなる温度センサ(図示せず)を有し、温度センサで検出されたパネル１周辺の温度を算出し、その結果を制御信号発生回路１５にフィードバックする。
【００５４】
制御信号発生回路１５は、温度検出器１７と電位検出回路４１０及び電位比較回路４００による制御信号発生回路１５へのフィードバックを受け、電圧Ｖｒ２に到達したタイミングからさらに時間Ｔ１の間、ランプ波形を印加し、初期化電圧を最適な値へ制御する。具体的には図１１のように変更する。その他の回路ブロックについては（実施の形態１）と同様である。
【００５５】
これは、パネルの周辺温度によって走査電極ＳＣ１〜ＳＣｎと維持電極間ＳＵ１〜ＳＵｎの放電開始電圧が変化し、高温になるほど小さくなる為であり、図１１に示すようにパネル温度が０℃〜３０℃（図中の温度(1)））では初期化電圧Ｖｉ２を高く設定し、逆に、パネル温度が５０℃〜（図中の温度(3)）では低く設定している。これにより、パネルの周辺温度毎に最適な初期化電圧を保つ事ができ、良好な品質で画像表示させることが可能となる。
【００５６】
なお、パネル温度に応じて緩やかに上昇するランプ波形の電圧を変更する事は、初期化期間の発光輝度の変化が検知されないよう、段階的に行うことが望ましい。
【００５７】
また、上記の段階的変化は、初期化期間の発光輝度の変化が検知されないよう、ヒステリシス機能を持たせる事が望ましい。
【００５８】
（実施の形態３）
次に、平均輝度レベル（以下「ＡＰＬ」と略記する）によって放電特性が変化する事を考慮して、プラズマディスプレイ装置のＡＰＬによらず初期化動作を最適な条件で行う事ができる実施の形態について説明する。
【００５９】
本実施の形態におけるパネルの構造、駆動電圧波形の概要等は（実施の形態１）と同様である。本実施の形態が（実施の形態１）と異なる点はプラズマディスプレイ装置に画像信号ＳｉｇのＡＰＬを検出するＡＰＬ検出器１８を備え、（実施の形態１）における電位検出回路及び電位比較回路による制御信号発生回路へのフィードバックに加え、ＡＰＬ検出器１８からのフィードバックを受けて、全セル初期化電圧を制御している点である。
【００６０】
図９は、本発明の（実施の形態３）におけるプラズマディスプレイ装置の回路ブロック図である。実施の形態１で示した図３へ、ＡＰＬ制御の為のＡＰＬ検出器１８が追加されている。ＡＰＬ検出器１８は、具体的には、例えば画像信号の輝度値を１フィールド期間または１フレーム期間にわたって累積する等の一般に知られた手法を用いることによってＡＰＬを検出する。その結果を制御信号発生回路１５にフィードバックする。制御信号発生回路１５は、ＡＰＬ検出器１８と電位検出回路及び電位比較回路による制御信号発生回路へのフィードバックを受け、Ｖｒ２に到達したタイミングからさらにＴ１の間、ランプ波形を印加し、全セル初期化電圧を最適な値へ制御している。具体的には図１２のように変更する。
【００６１】
本実施の形態では、図１２に示すようにＡＰＬが低い表示（ＡＰＬ３０％以下）では、走査電極の緩やかに上昇するランプ波形の電圧を小さく設定し、逆に、ＡＰＬが高い表示（ＡＰＬ１００％付近）では、緩やかに上昇するランプ波形の電圧を高く設定する。ＡＰＬ毎に最適な初期化電圧を保つ事ができ、良好な品質で画像表示させることを可能としている。
【００６２】
これは、ＡＰＬが高くなるほど、回路にかかる負荷が増大し、書込みに必要となる駆動電圧が増大する事と、ＡＰＬが高いシーンでは黒を表示する画素の割合いが小さくなる為である。
【００６３】
なお、ＡＰＬに応じて緩やかに上昇するランプ波形の電圧を変する事は、初期化期間の発光輝度の変化が検知されないよう、段階的に行うことが望ましい。
【００６４】
また、上記の段階的変化は、初期化期間の発光輝度の変化が検知されないよう、ヒステリシス機能を持たせる事が望ましい。
【００６５】
（実施の形態４）
次に、プラズマディスプレイパネルのパネルの累積点灯時間を計測し、累積点灯時間によって放電特性が変化する事を考慮して、プラズマディスプレイ装置の累積点灯時間によらず初期化動作を最適な条件で行う事ができる実施の形態について説明する。
【００６６】
本実施の形態におけるパネルの構造、駆動電圧波形の概要等は（実施の形態１）と同様である。本実施の形態が（実施の形態１）と異なる点はプラズマディスプレイパネルの累積点灯時間を計測する累積点灯時間計測器１９を備え、（実施の形態１）における電位検出回路及び電位比較回路による制御信号発生回路へのフィードバックに加え累積点灯時間計測器１９からのフィードバックを受けて、全セル初期化電圧を制御している点である。
【００６７】
図１０は、本発明の（実施の形態４）におけるプラズマディスプレイ装置の回路ブロック図である。実施の形態１で示した図３へ、累積点灯時間の計測の為の累積点灯時間計測器１９が追加されている。累積点灯時間計測器１９は計測したその結果を制御信号発生回路１５にフィードバックする。制御信号発生回路１５は、累積点灯時間計測器と電位検出回路及び電位比較回路による制御信号発生回路へのフィードバックを受け、Ｖｒ２に到達したタイミングからさらにＴ１の間、ランプ波形を印加し、全セル初期化電圧を最適な値へ制御している。具体的には図１３のように変更する。
【００６８】
プラズマディスプレイは、累計点灯時間よって走査電極と維持電極間の放電開始電圧は変化し、点灯時間が長時間になるほど放電開始電圧は高くなる。その為、全セル初期化電圧は表３に示すとおり、累計点灯時間に対して徐々に印加電圧を大きくしている。これによりパネル点灯初期からライフエンドまで最適な初期化電圧を保つ事ができ、良好な品質で画像表示させることが可能となる。
【産業上の利用可能性】
【００６９】
本発明によれば、パネルの持つ容量や回路の抵抗値の大きさやパネルの温度などの要因によらず、正確に初期化電圧の電圧値を制御することができ、初期化電圧の緩やかに上昇するランプ波形の傾きの変動による初期化電圧の電圧値のバラつきを抑える事ができ、安定した書込みを実現しながら黒輝度の上昇によるコントラストの低下も防ぎ、表示品質をより向上させることが可能なパネルの駆動方法を提供することができる。
【図面の簡単な説明】
【００７０】
【図１】本発明の一実施の形態に用いるプラズマディスプレイ装置のパネルの要部を示す斜視図
【図２】同プラズマディスプレイ装置のパネルの電極配列図
【図３】同プラズマディスプレイ装置の駆動方法を使用するプラズマディスプレイ装置の構成図
【図４】同プラズマディスプレイ装置のパネルの各電極に印加する駆動電圧波形図
【図５】同プラズマディスプレイ装置の本発明のランプ傾斜計測器を取り入れた回路構成図
【図６】同プラズマディスプレイ装置の従来の初期化電圧波形を示す図
【図７】同プラズマディスプレイ装置の本発明の初期化電圧波形を示す図
【図８】同プラズマディスプレイ装置のパネル温度制御を取り入れた駆動方法を使用するプラズマディスプレイ装置の構成図
【図９】同プラズマディスプレイ装置のＡＰＬ制御を取り入れた駆動方法を使用するプラズマディスプレイ装置の構成図
【図１０】同プラズマディスプレイ装置の累積点灯時間制御を取り入れた駆動方法を使用するプラズマディスプレイ装置の構成図
【図１１】同プラズマディスプレイ装置の温度制御を考慮した初期化電圧Ｖｉ２の設定値を示す図
【図１２】同プラズマディスプレイ装置のＡＰＬ制御を考慮した初期化電圧Ｖｉ２の設定値を示す図
【図１３】同プラズマディスプレイ装置の累計点灯時間制御を考慮した初期化電圧Ｖｉ２の設定値を示す図
【符号の説明】
【００７１】
１  パネル
２  前面基板
３  背面基板
４  走査電極
５  維持電極
６  誘電体層
７  保護層
８  絶縁体層
９  データ電極
１０  隔壁
１１  蛍光体層
１２  データ電極駆動回路
１３  走査電極駆動回路
１４  維持電極駆動回路
１５  制御信号発生回路
１６  画像信号処理回路
１７  温度検出器
１８  ＡＰＬ検出器
１９  累計点灯時間計測器
２０  ランプ傾斜計測器
【図１】
2010175769.tif 000003
【図２】
2010175769.tif 000004
【図３】
2010175769.tif 000005
【図４】
2010175769.tif 000006
【図５】
2010175769.tif 000007
【図６】
2010175769.tif 000008
【図７】
2010175769.tif 000009
【図８】
2010175769.tif 000010
【図９】
2010175769.tif 000011
【図１０】
2010175769.tif 000012
【図１１】
2010175769.tif 000013
【図１２】
2010175769.tif 000014
【図１３】
2010175769.tif 000015